(57)【要約】【課題】ドアの停止状態を解除する場合に、腰を曲げることなく楽な姿勢で突っ張り脚を引き上げることのできるドアストッパを提供する。【解決手段】  ドア100に取り付ける取付基板１に上下位置調節自在としたスライド枠体２に設けた第１支軸３に基端を軸支した突っ張り脚４を下方に向けて回動して、該突っ張り脚４の下端４１を床面101に当接してドアを停止状態とするドアストッパにおいて、前記突っ張り脚４によるドアの停止状態を解除するペダル式解除機構５を設けてなり、該ペダル式解除機構５は前記スライド枠体２に設けた第２支軸６に基端を軸支したペダル本体５１と、該ペダル本体５１の基端側面に設けた主歯車７と、該主歯車７と噛合する前記突っ張り脚４の基端側面に設けた従歯車８とよりなる。【選択図】図１
0003169122.tif 000002
【実用新案登録請求の範囲】
【請求項１】
ドアに取り付ける取付基板と、取付基板に上下位置調節自在としたスライド枠体と、該スライド枠体に設けた第１支軸に基端を軸支した突っ張り脚を下方に向けて回動して、該突っ張り脚の下端を床面に当接してドアを停止状態とするドアストッパにおいて、前記突っ張り脚によるドアの停止状態を解除するペダル式解除機構を設けてなり、該ペダル式解除機構は前記スライド枠体に設けた第２支軸に基端を軸支したペダル本体と、該ペダル本体の基端側面に設けた主歯車と、該主歯車と噛合する前記突っ張り脚の基端側面に設けた従歯車とよりなることを特徴とするドアストッパ。
【請求項２】
前記ペダル本体の足掛け部は、前記突っ張り脚の下端を床面に当接する位置にあるときに床面と平行状態となるように、また、前記突っ張り脚を上方に回動してドアに沿わせた起立状態にあるときにドアに沿うようにした請求項１に記載のドアストッパ。
【請求項３】
取付基板に上下位置調節自在としたスライド枠体を、該スライド枠体の両側縁部を前記取付基板の両側に形成した内向きに折曲形成した溝部に摺動自在に嵌合して、該スライド枠体の主板部に設けたねじ孔に螺合した止ねじの先端を前記取付基板の前面に係止して調節位置において固定状態を維持するものとした請求項１又は２に記載のドアストッパ。
【請求項４】
前記取付基板の前面に硬質合成ゴム板からなる止ねじ係止板部を設けた請求項３に記載のドアストッパ。
【請求項５】
前記スライド枠体に前記突っ張り脚のドアに沿わせた起立状態を保持させる保持機構部を設けてなり、該保持機構部は前記スライド枠体の主板部の上方の前記突っ張り脚の基端が臨む位置に設けた筒穴部に先端にボールを備えた押しバネを嵌合して、該ボールが前記突っ張り脚の基端に設けた凹部に嵌合して該突っ張り脚の移動を規制して起立状態を保持するものとした請求項１〜４の何れかに記載したドアストッパ。
【考案の詳細な説明】
【技術分野】
【０００１】
本考案は、ドアを任意の開き状態で保持させることのできるドアストッパに関するものである。
【背景技術】
【０００２】
ドアを任意の開度で停止させるドアストッパとして、ドアの下方に取り付けた取付基板に基端を軸支した突っ張部材をドアが任意の開度に達した時に該突っ張部材を床面に向けて回動して該突っ張部材の先端を床面に当接させてドアを任意の開度で停止させるものが知れている（例えば、特許文献１、２参照）。
【０００３】
ところが、前記特許文献１、２により開示されているドアストッパはいずれも、ドアの停止状態を解除する場合には腰を屈めて突っ張部材を手に把持して引き上げる必要があり、解除作業が厄介である問題があった。
【先行技術文献】
【特許文献】
【０００４】
【特許文献１】特開平９−３２４５７５号公報
【特許文献２】特開２００２−６１４４４号公報
【考案の概要】
【考案が解決しようとする課題】
【０００５】
本考案は前記のような問題を解決して、ドアの停止状態を解除する場合に、腰を曲げることなく楽な姿勢で突っ張部材を引き上げることのできるドアストッパを提供することを目的として完成されたものである。
【課題を解決するための手段】
【０００６】
本考案のドアストッパは、ドアに取り付ける取付基板に上下位置調節自在としたスライド枠体に設けた第１支軸に基端を軸支した突っ張り脚を下方に向けて回動して、該突っ張り脚の下端を床面に当接してドアを停止状態とするドアストッパにおいて、前記突っ張り脚によるドアの停止状態を解除するペダル式解除機構を設けてなり、該ペダル式解除機構は前記スライド枠体に設けた第２支軸に基端を軸支したペダル本体と、該ペダル本体の基端側面に設けた主歯車と、該主歯車と噛合する前記突っ張り脚の基端側面に設けた従歯車とよりなることを特徴とするものを基本の考案とする。
【０００７】
そして、前記ペダル本体の足掛け部は、前記突っ張り脚の下端を床面に当接する位置にあるときに床面と平行状態となるように、また、前記突っ張り脚を上方に回動してドアに沿わせた起立状態にあるときにドアに沿うようにすることが好ましい。
【０００８】
さらに、前記取付基板に上下位置調節自在としたスライド枠体を、該スライド枠体の両側縁部に張出したスライド片を前記取付基板の両側に対向させて内向きに折曲形成したスライド溝部に摺動自在に嵌合して、該スライド枠体の主板部に設けたねじ孔に螺合した止ねじの先端を前記取付基板の前面に係止して調節位置において固定状態を維持するものとしている。
【０００９】
また、前記取付基板の前面に硬質合成ゴム板からなる止ねじ係止板部を設けることが好ましい。
【００１０】
また、前記スライド枠体に前記突っ張り脚のドアに沿わせた起立状態を保持させる保持機構部を設けたものとして、該保持機構部は前記スライド枠体の主板部の上方の前記突っ張り脚の基端が臨む位置に設けた筒穴部の先端にボールを臨ませた押しバネを嵌合したものであり、該ボールが押しバネの押圧下に前記突っ張り脚の基端に設けた凹部に嵌合して該突っ張り脚の移動を規制して起立状態を保持するものとしている。
【考案の効果】
【００１１】
前記した本考案のドアストッパは、ドアの閉じ方向の面の下方に取付基板をもって両面テープ、ねじ止め等の手段により取り付ける。そして、ドアを任意の開度で停止させる場合には、突っ張り脚を下方に向けて回動して、該突っ張り脚の下端を床面に当接してドアを停止状態とするものである。
【００１２】
本考案は、突っ張り脚の停止状態を解除するペダル式解除機構を設けたものであるので、ペダル本体の足掛け部に足を掛けることにより、突っ張り脚が上方に回動してドアの停止状態を解除することとなり、腰を屈めて突っ張り脚を手に把持して引き上げる必要がないものである。
【００１３】
また、前記ペダル式解除機構のペダル本体の足掛け部を、前記突っ張り脚の下端が床面に当接する位置にあるときに足掛けが的確、容易に行なうことができるように水平状態となるようにしてある。また、ペダル本体の足掛け部は前記突っ張り脚を上方に回動してドアに沿わせた起立状態にあるときにドアに沿うようにするものとして、突っ張り脚と共にドアの開閉時に足を引っ掛ける虞の無いものとしている。
【００１４】
さらに、前記突っ張り脚とペダル式解除機構を取付基板に上下に位置調節可能としたスライド枠体に設けた第１支軸と第２支軸に軸支したものであるから、前記スライド枠体の上下位置を調節することにより、前記突っ張り脚と床面の間隔を微調節して、前記突っ張り脚を的確に床面に当接させてドアを停止状態とすることができるものである。
【００１５】
また、前記スライド枠体は、両側縁部に張出したスライダー片を前記取付基板の両側に対向させて内向きに折曲形成したスライド溝部に摺動自在に嵌合して、該スライド枠体の主板部に設けたねじ孔に螺合した止ねじの先端を前記取付基板の前面に係止して調節位置において固定状態を維持するものとしているので、止ねじの締め付け緩み操作により簡単にスライド枠体の位置調節が可能となる。さらに、前記取付基板の前面に硬質合成ゴム板からなる止ねじ係止板部を設けていることにより、止ねじの締め付けを強くしても止ねじの先端が硬質合成ゴム板からなる止ねじ係止板部に食い込むだけで前記取付基板を変形させることがないので、取付基板がドアの取付面から浮き上がり外れる虞のないものである。
【図面の簡単な説明】
【００１６】
【図１】本考案の実施形態を示す側面図。
【図２】本考案の実施形態を示す正面図。
【図３】本考案の実施形態を示す平面図。
【図４】本考案の実施形態を態様を異にして示す一部切欠側面図。
【図５】本考案の実施形態に使用する突っ張り脚を滑り止めキャップを外して示す図であり、（イ）は正面図、（ロ）は側面図。
【図６】本考案の実施形態に使用するペダル本体を示す図であり、（イ）は正面図、（ロ）は側面図。
【図７】本考案の実施形態に使用するスライド枠体を示す図であり、（イ）は正面図、（ロ）は側面図、（ハ）は平面図、（ニ）は（イ）図のＡ−Ａ断面図、（ホ）は（イ）図のＢ−Ｂ断面図。
【図８】本考案の実施形態に使用する取付基板を示す図であり、（イ）は正面図、（ロ）は縦断面図、（ハ）は平面図。
【考案を実施するための形態】
【００１７】
次に、本考案の好ましい実施の形態を図面に基づき説明する。
１はドア１００に取り付ける取付基板であり、該取付基板１には上下位置調節自在としたスライド枠体２が設けてある。そして、前記スライド枠体２に設けた第１支軸３に突っ張り脚４がその基端の軸孔４ａをもって軸支されている。この突っ張り脚４は第１支軸３を支点に下方に向けて回動して、該突っ張り脚４の下端を床面１０１に当接してドア１００を停止状態とするものである。なお、前記突っ張り脚４の下端には滑り止めキャップ４１を取りつけている。
【００１８】
また、前記スライド枠体２には、前記突っ張り脚４によるドア１００の停止状態を解除するペダル式解除機構５を設けてある。該ペダル式解除機構５は、前記スライド枠体２に設けた第２支軸６に基端の軸孔５ａを軸支したペダル本体５１と、該ペダル本体５１の基端側面に突設した主歯車７と、該主歯車７と噛合する前記突っ張り脚４の基端側面に突設した従歯車８とよりなるものである。
【００１９】
なお、前記第１支軸３と第２支軸６は前記スライド枠体２の主板部２０の両側前方に張設けた一対の軸受け板部２１、２１間に梁設したものとしてスライド枠体２に設けたものとしている。
【００２０】
また、前記ペダル本体５１の足掛け部５１ａは図１に示すように前記突っ張り脚４の下端４１が床面１０１に当接してドア１００を停止させる状態にあるときに床面１０１と平行状態となって足掛けが容易なものとしている。また、該足掛け部５１ａは図４に示すように前記突っ張り脚４を上方に回動してドア１００に沿わせた起立状態にあるときにドア１００の取付面に沿うまで下方に回動するものとしている。
【００２１】
すなわち、図示の前記突っ張り脚４はドア１００から３０度前後の角度において下端を床面１０１に当接してあり、また、この状態ではペダル式解除機構５のペダル本体５１の足掛け部５１ａはドア１００から７５度前後の角度で位置するものとしている。従って、床面１０１から平行とした足掛け部５１ａがドア１００から床面１０１に向けて８０度回動した場合に突っ張り脚４が床面１０１から逆方向に１６０度回動するように前記主歯車５と噛合する前記従歯車６との歯車比を２：１としている。
【００２２】
また、前記スライド枠体２の前記取付基板１へ上下位置調節自在として設けた具体的手段は次のとおりとしている。すなわち、前記スライド枠体２の両側に形成したスライド片２ａ、２ａを前記取付基板１の両側に内向きに折曲形成したスライド溝部１１、１１に摺動自在に嵌合して、該スライド枠体２の主板部２０に設けたねじ孔２２に螺合した止ねじ２３の先端を前記取付基板１の前面に係止して該スライド枠体２の上下方向での位置を固定するものとしている。
【００２３】
また、前記取付基板１の前面に硬質合成ゴム板からなる止ねじ係止板部１２を設けて、止ねじ２３の締め付けを強くしても該止ねじ２３の先端は止ねじ係止板部１２に食い込むだけで前記取付基板１を変形させることがないので、取付基板１がドア１００の取付面から浮き上がり外れる虞のないものである。
【００２４】
また、前記スライド枠体２には前記突っ張り脚４がドア１００に沿わせた起立状態を保持させる保持機構部９が設けてある。該保持機構部９は図４に示すように前記スライド枠体２の主板部２０の上方の突っ張り脚４の基端が臨む位置に設けた筒穴部９０に、先端にボール９１を備えた押しバネ９２を嵌合して設けたもので、前記突っ張り脚４の基端周縁に設けた凹部４２に前記ボール９１を押しバネ９２の押圧下において嵌合して突っ張り脚４の移動を規制して起立状態を保持するものとしている。
【００２５】
前記した実施形態のドアストッパは、ドア１００の閉じ方向の面の下方に取付基板２をもって両面テープ、ねじ止め等の手段により取り付て、ドア１００を任意の開度で停止させる場合に、前記突っ張り脚４を下方に向けて回動して、該突っ張り脚４の下端すなわち該下端に取り付けた滑り止めキャップ４１の底面を床面１０１に当接してドア１０１を停止状態とするものである。
【００２６】
そして、突っ張り脚４によるドア１００の停止状態を解除する場合には、ペダル式解除機構５のペダル本体５１の足掛け部５１ａに足を掛けて下方に押し下げる。そうすれば、ペダル本体５１の基端側面に設けた主歯車７が第２支軸６を支点に下向きに回動して、該主歯車７に噛合している前記突っ張り脚４の基端側面に設けた従歯車が第１支軸３を支点に上向きに回動して前記突っ張り脚４を基端を支点に上方に向けて回動して下端の床面１０１への当接を解除してドア１００の停止状態を解除することとなる。これにより、腰を屈めて突っ張り脚４を手に把持して引き上げる必要がないものである。
【符号の説明】
【００２７】
１  取付基板
２  スライド枠体
３  第１支軸
４  突っ張り脚
５  ペダル式解除機構
51  ペダル本体
６  第２支軸
７  主歯車
８  従歯車
９  保持機構部
100  ドア
101  床面
【図１】
0003169122.tif 000003
【図２】
0003169122.tif 000004
【図３】
0003169122.tif 000005
【図４】
0003169122.tif 000006
【図５】
0003169122.tif 000007
【図６】
0003169122.tif 000008
【図７】
0003169122.tif 000009
【図８】
0003169122.tif 000010